(57)【要約】      （修正有）【課題】特にオットマンの長さを更に伸ばすことができる折り畳み式オットマン装置を提供する。【解決手段】シートと、第一回転ケース２０と、第一駆動装置５０とを有し、該第一回転ケースは、第一駆動装置を介してシートに枢設され、該第一駆動装置は、２つの角度調整器５１と、２つの第一段階直流機５２と、連動軸５３とを備え、該角度調整器はそれぞれ、シートの両側と第一回転ケースの両側との間に取り付けられ、該第一段階直流機はそれぞれ、シートの両側及び角度調整器に取り付けられ、該連動軸は、角度調整器の間に取り付けられ、該第一段階直流機を駆動して連動軸を回転させると、該連動軸により角度調整器の角度調整盤及び枢転ユニットが連動して回転し、第一回転ケースがシートに対して前方へ回転する。【選択図】図１
2015020739.tif 000002
【特許請求の範囲】
【請求項１】
シートと、第一回転ケースと、第一駆動装置とを有し、
その内、前記第一回転ケースは、第一駆動装置を介してシートに枢設され、
前記第一駆動装置は、２つの角度調整器と、２つの第一段階直流機と、連動軸とを備え、該角度調整器はそれぞれ、シートの前端両側と第一回転ケースの後端両側との間に取り付けられ、カバーと、角度調整盤と、枢転ユニットとを備え、該カバーに連結板及び装着盤が設けられ、該連結板がシートに取り付けられ、該角度調整盤がカバーの装着盤に取り付けられ、該枢転ユニットにおける一端が角度調整盤に取り付けられ、他端が第一回転ケースの底面に取り付けられ、
前記第一段階直流機はそれぞれ、シートの前端両側及び角度調整器の内側に取り付けられ、
前記連動軸は、角度調整器の間に取り付けられ、
また、前記第一段階直流機を駆動して連動軸を回転させると、該連動軸により角度調整器の角度調整盤及び枢転ユニットが連動して回転し、第一回転ケースがシートに対して前方へ回転することを特徴とする折り畳み式オットマン装置。
【請求項２】
前記枢転ユニットは、連結盤と、湾曲アームと、取付板とを有し、該湾曲アームの一端は連結盤の外縁部に連接されると共に、他端は取付板の底面に連接され、また、該枢転ユニットは、連結盤を介して角度調整盤に取り付けられると共に、取付板を介して第一回転ケースに取り付けられることを特徴とする請求項１に記載の折り畳み式オットマン装置。
【請求項３】
前記カバーの装着盤の外周縁に第一段階展開ストッパー及び第一段階折畳みストッパーが間隔をおいて延設され、
前記枢転ユニットの湾曲アームにおける連結盤に連接した箇所の両側に第一段階展開止め面及び第一段階折畳み止め面が設けられ、
該湾曲アームは、第一段階展開止め面を介してカバーの装着盤の第一段階展開ストッパーに当接し、或いは、第一段階折畳み止め面を介してカバーの装着盤の第一段階折畳みストッパーに当接することを特徴とする請求項２に記載の折り畳み式オットマン装置。
【請求項４】
さらに、第二回転ケース及び第二駆動装置を有し、
その内、前記第二回転ケースは、第二駆動装置を介して第一回転ケースに枢設され、
前記第二駆動装置は、２つの第二段階直流機及び２つのギア部材を備え、該２つの第二段階直流機は、第一回転ケースの両側の底面に取り付けられると共に、可撓軸を介して互いに連動され、該２つのギア部材は、第一回転ケースの前端両側と第二回転ケースの後端両側の間に取り付けられ、
前記第二段階直流機を駆動してギア部材を回転させると、第二回転ケースが第一回転ケースに対して回転することを特徴とする請求項３に記載の折り畳み式オットマン装置。
【請求項５】
前記ギア部材は、ケースと、ウォームと、ウォーム歯車と、第一歯車と、第二歯車と、第三歯車と、回転軸と、連結部材とを有し、その内、ケースは、第一回転ケースの底面に固定され、該ウォーム、該ウォーム歯車、該第一歯車、該第二歯車は、回動可能にケースの内部に組み立てられ、該第三歯車、該回転軸、該連結部材は、回動可能にケースの外部に組み立てられ、該ウォームは前記第二段階直流機の駆動により回転し、また、該ウォーム歯車はウォームに噛合され、該第一歯車が同一の軸心となるようにウォーム歯車の一側に噛合され、該第二歯車は第一歯車に噛合され、第三歯車は第二歯車に噛合され、回転軸は第三歯車の軸心として貫設され、連結部材は回転軸に取り付けられ、該連結部材に連結タブが設けられ、該連結タブは第二回転ケースの後端側面に取り付けられることを特徴とする請求項４に記載の折り畳み式オットマン装置。
【請求項６】
前記第二駆動装置はさらに、第二段階展開スイッチ及び第二段階折畳みスイッチを有し、該第二段階展開スイッチ及び第二段階折畳みスイッチは、第一回転ケースの底面に設置され、
一方のギア部材の回転軸に第二段階展開当接部が環設され、他方のギア部材の回転軸に第二段階折畳み当接部が環設され、該第二段階展開当接部に当接凸部が凸設されると共に、該第二段階折畳み当接部にも当接凸部が凸設され、該第二段階展開当接部の当接凸部は第二段階展開スイッチと接触でき、該第二段階折畳み当接部の当接凸部は第二段階折畳みスイッチと接触できることを特徴とする請求項５に記載の折り畳み式オットマン装置。
【請求項７】
さらに、足置き台及び第三駆動装置を備え、該足置き台は、第三駆動装置を介して第二回転ケースに枢設され、該第三駆動装置は伝動部材を有し、該伝動部材は、第三段階伝動用直流機と、伝動用駆動ユニットと、伝動用従動ユニットとを有し、該第三段階伝動用直流機を駆動させると、伝動用駆動ユニット及び伝動用従動ユニットが回転し、足置き台が第二回転ケースに対して回転することを特徴とする請求項４乃至６の何れか１項に記載の折り畳み式オットマン装置。
【請求項８】
前記足置き台の底部に第二枢設部が延設され、
前記第三駆動装置の伝動部材は伝動ベースを備え、該伝動ベースに第一装着部及び第二装着部が設置され、
前記第三段階伝動用直流機及び伝動ベースは、第二回転ケースの底面に取り付けられ、
前記伝動用駆動ユニットは、伝動軸及び該伝動軸の一端に設けられる駆動かさ歯車を備え、そのうち伝動軸は伝動ベースの第一装着部に貫設され、
前記第三段階伝動用直流機を駆動させると、伝動用駆動ユニットの伝動軸が回転し、それに連動して駆動かさ歯車も回転し、
前記伝動用従動ユニットは、従動軸及び該従動軸の一端に取り付けられる従動かさ歯車を備え、該従動軸は伝動ベースの第二装着部に貫設されると共に、該従動かさ歯車は伝動用駆動ユニットの駆動かさ歯車に噛合され、
前記足置き台の第二枢設部は、伝動用従動ユニットの従動軸に固定されることを特徴とする請求項７に記載の折り畳み式オットマン装置。
【請求項９】
前記足置き台は、底部の一側近傍に第一枢設部が延設され、該第一枢設部の一側に環状歯が形成され、
前記第三駆動装置は、クラッチ部材を備え、該クラッチ部材は、第三段階クラッチ直流機と、クラッチベースと、クラッチ駆動ユニットと、クラッチ従動ユニットと、歯付き盤と、止めタブとを有し、その内、第三段階クラッチ直流機及びクラッチベースは、第二回転ケースの底面の前端に取り付けられ、該クラッチベースに第一装着部及び第二装着部が設置され、該クラッチ駆動ユニットは、伝動軸を備え、該伝動軸の一端にかさ歯車が環設され、該クラッチ駆動ユニットの伝動軸はクラッチベースの第一装着部の貫設され、該第三段階クラッチ直流機を駆動すると、伝動軸が回転し、その回転にかさ歯車が連動し、
前記クラッチ従動ユニットは、従動軸及び該従動軸の一端に取り付けられるかさ歯車を備え、該従動軸は、クラッチベースの第二装着部に貫設され、該従動軸の一端は、外周面にねじ山が形成されると共に、第二装着部に貫設され、該クラッチ従動ユニットのかさ歯車は、クラッチ駆動ユニットのかさ歯車に噛合され、該歯付き盤にねじ穴が形成され、該ねじ穴に該従動軸のねじ山が螺合され、また、該歯付き盤の一側に環歯部が設けられ、外周面に当接凸部が凸設され、該止めタブは、歯付き盤の近傍及び第二回転ケースの底面に取り付けられ、該歯付き盤の当接凸部が止めタブに当接すると、歯付き盤が従動軸と同期回転することなく、従動軸に対してその軸方向に沿ってリニア移動し、歯付き盤の環歯部が足置き台の第一枢設部の環状歯に噛合され或いは離れることを特徴とする請求項８に記載の折り畳み式オットマン装置。
【請求項１０】
前記第三駆動装置は、第三段階折畳みスイッチを有し、該第三段階折畳みスイッチは、第二回転ケースの底面に設置され、該第二回転ケースの底面に対して前記足置き台が回転することにより、第三段階折畳みスイッチと接触することを特徴とする請求項９に記載の折り畳み式オットマン装置。
【発明の詳細な説明】
【技術分野】
【０００１】
本発明は、特にオットマンの長さを更に伸ばすことができる折り畳み式オットマン装置に関するものである。
【背景技術】
【０００２】
椅子は、人が座る際に人間の重さを支え、足の負担を解消するものである。既存の椅子は、使用場所や必要に応じて、様々な構成を有し、例えば、自動車用の椅子は主に、座部と、背もたれを有し、その背もたれの上部にヘッドレストが設置され、また、座る人のニーズに応じて傾斜角度が調整可能なものである。
【発明の概要】
【発明が解決しようとする課題】
【０００３】
しかしながら、例えば、旅行で長時間に亘り自動車に乗車するなど、人間が椅子に長時間座り続け、足を長時間に亘り曲げたりしていると、筋肉疲労または足の痛みや浮腫みなどを引き起こすおそれがあった。
【課題を解決するための手段】
【０００４】
上述した問題を解決するために、本発明に係る折り畳み式オットマン装置は、シートと、第一回転ケースと、第一駆動装置とを有し、
その内、前記第一回転ケースは、第一駆動装置を介してシートに枢設され、
前記第一駆動装置は、２つの角度調整器と、２つの第一段階直流機と、連動軸とを備え、該角度調整器はそれぞれ、シートの前端両側と第一回転ケースの後端両側との間に取り付けられ、カバーと、角度調整盤と、枢転ユニットとを備え、該カバーに連結板及び装着盤が設けられ、該連結板がシートに取り付けられ、該角度調整盤がカバーの装着盤に取り付けられ、該枢転ユニットにおける一端が角度調整盤に取り付けられ、他端が第一回転ケースの底面に取り付けられ、
前記第一段階直流機はそれぞれ、シートの前端両側及び角度調整器の内側に取り付けられ、
前記連動軸は、角度調整器の間に取り付けられ、
また、前記第一段階直流機を駆動して連動軸を回転させると、該連動軸により角度調整器の角度調整盤及び枢転ユニットが連動して回転し、第一回転ケースがシートに対して前方へ回転するものである。
【０００５】
かかる折り畳み式オットマン装置において、前記枢転ユニットは、連結盤と、湾曲アームと、取付板とを有し、該湾曲アームの一端は連結盤の外縁部に連接されると共に、他端は取付板の底面に連接され、また、該枢転ユニットは、連結盤を介して角度調整盤に取り付けられると共に、取付板を介して第一回転ケースに取り付けられることが好ましい。
【０００６】
かかる折り畳み式オットマン装置において、前記カバーの装着盤の外周縁に第一段階展開ストッパー及び第一段階折畳みストッパーが間隔をおいて延設され、
前記枢転ユニットの湾曲アームにおける連結盤に連接した箇所の両側に第一段階展開止め面及び第一段階折畳み止め面が設けられ、
該湾曲アームは、第一段階展開止め面を介してカバーの装着盤の第一段階展開ストッパーに当接し、或いは、第一段階折畳み止め面を介してカバーの装着盤の第一段階折畳みストッパーに当接することが好ましい。
【０００７】
かかる折り畳み式オットマン装置において、
さらに、第二回転ケース及び第二駆動装置を有し、
その内、前記第二回転ケースは、第二駆動装置を介して第一回転ケースに枢設され、
前記第二駆動装置は、２つの第二段階直流機及び２つのギア部材を備え、該２つの第二段階直流機は、第一回転ケースの両側の底面に取り付けられると共に、可撓軸を介して互いに連動され、該２つのギア部材は、第一回転ケースの前端両側と第二回転ケースの後端両側の間に取り付けられ、
前記第二段階直流機を駆動してギア部材を回転させると、第二回転ケースが第一回転ケースに対して回転することが好ましい。
【０００８】
かかる折り畳み式オットマン装置において、前記ギア部材は、ケースと、ウォームと、ウォーム歯車と、第一歯車と、第二歯車と、第三歯車と、回転軸と、連結部材とを有し、その内、ケースは、第一回転ケースの底面に固定され、該ウォーム、該ウォーム歯車、該第一歯車、該第二歯車は、回動可能にケースの内部に組み立てられ、該第三歯車、該回転軸、該連結部材は、回動可能にケースの外部に組み立てられ、該ウォームは前記第二段階直流機の駆動により回転し、また、該ウォーム歯車はウォームに噛合され、該第一歯車が同一の軸心となるようにウォーム歯車の一側に噛合され、該第二歯車は第一歯車に噛合され、第三歯車は第二歯車に噛合され、回転軸は第三歯車の軸心として貫設され、連結部材は回転軸に取り付けられ、該連結部材に連結タブが設けられ、該連結タブは第二回転ケースの後端側面に取り付けられることが好ましい。
【０００９】
かかる折り畳み式オットマン装置において、前記第二駆動装置はさらに、第二段階展開スイッチ及び第二段階折畳みスイッチを有し、該第二段階展開スイッチ及び第二段階折畳みスイッチは、第一回転ケースの底面に設置され、
一方のギア部材の回転軸に第二段階展開当接部が環設され、他方のギア部材の回転軸に第二段階折畳み当接部が環設され、該第二段階展開当接部に当接凸部が凸設されると共に、該第二段階折畳み当接部にも当接凸部が凸設され、該第二段階展開当接部の当接凸部は第二段階展開スイッチと接触でき、該第二段階折畳み当接部の当接凸部は第二段階折畳みスイッチと接触できることが好ましい。
【００１０】
かかる折り畳み式オットマン装置において、さらに、足置き台及び第三駆動装置を備え、該足置き台は、第三駆動装置を介して第二回転ケースに枢設され、該第三駆動装置は伝動部材を有し、該伝動部材は、第三段階伝動用直流機と、伝動用駆動ユニットと、伝動用従動ユニットとを有し、該第三段階伝動用直流機を駆動させると、伝動用駆動ユニット及び伝動用従動ユニットが回転し、足置き台が第二回転ケースに対して回転することが好ましい。
【００１１】
かかる折り畳み式オットマン装置において、前記足置き台の底部に第二枢設部が延設され、
前記第三駆動装置の伝動部材は伝動ベースを備え、該伝動ベースに第一装着部及び第二装着部が設置され、
前記第三段階伝動用直流機及び伝動ベースは、第二回転ケースの底面に取り付けられ、
前記伝動用駆動ユニットは、伝動軸及び該伝動軸の一端に設けられる駆動かさ歯車を備え、そのうち伝動軸は伝動ベースの第一装着部に貫設され、
前記第三段階伝動用直流機を駆動させると、伝動用駆動ユニットの伝動軸が回転し、それに連動して駆動かさ歯車も回転し、
前記伝動用従動ユニットは、従動軸及び該従動軸の一端に取り付けられる従動かさ歯車を備え、該従動軸は伝動ベースの第二装着部に貫設されると共に、該従動かさ歯車は伝動用駆動ユニットの駆動かさ歯車に噛合され、
前記足置き台の第二枢設部は、伝動用従動ユニットの従動軸に固定されることが好ましい。
【００１２】
かかる折り畳み式オットマン装置において、前記足置き台は、底部の一側近傍に第一枢設部が延設され、該第一枢設部の一側に環状歯が形成され、
前記第三駆動装置は、クラッチ部材を備え、該クラッチ部材は、第三段階クラッチ直流機と、クラッチベースと、クラッチ駆動ユニットと、クラッチ従動ユニットと、歯付き盤と、止めタブとを有し、その内、第三段階クラッチ直流機及びクラッチベースは、第二回転ケースの底面の前端に取り付けられ、該クラッチベースに第一装着部及び第二装着部が設置され、該クラッチ駆動ユニットは、伝動軸を備え、該伝動軸の一端にかさ歯車が環設され、該クラッチ駆動ユニットの伝動軸はクラッチベースの第一装着部の貫設され、該第三段階クラッチ直流機を駆動すると、伝動軸が回転し、その回転にかさ歯車が連動し、
前記クラッチ従動ユニットは、従動軸及び該従動軸の一端に取り付けられるかさ歯車を備え、該従動軸は、クラッチベースの第二装着部に貫設され、該従動軸の一端は、外周面にねじ山が形成されると共に、第二装着部に貫設され、該クラッチ従動ユニットのかさ歯車は、クラッチ駆動ユニットのかさ歯車に噛合され、該歯付き盤にねじ穴が形成され、該ねじ穴に該従動軸のねじ山が螺合され、また、該歯付き盤の一側に環歯部が設けられ、外周面に当接凸部が凸設され、該止めタブは、歯付き盤の近傍及び第二回転ケースの底面に取り付けられ、該歯付き盤の当接凸部が止めタブに当接すると、歯付き盤が従動軸と同期回転することなく、従動軸に対してその軸方向に沿ってリニア移動し、歯付き盤の環歯部が足置き台の第一枢設部の環状歯に噛合され或いは離れることが好ましい。
【００１３】
かかる折り畳み式オットマン装置において、前記第三駆動装置は、第三段階折畳みスイッチを有し、該第三段階折畳みスイッチは、第二回転ケースの底面に設置され、該第二回転ケースの底面に対して前記足置き台が回転することにより、第三段階折畳みスイッチと接触することが好ましい。
【発明の効果】
【００１４】
本発明に係る折り畳み式オットマン装置は、第一回転ケースを椅子台に対して枢転させれば展開できると共に、第二回転ケースを第一回転ケースに対して枢転させれば展開できるので、使用者の足をオットマン装置に置いて快適な姿勢で伸ばせるので、筋肉疲労を解消することができ、また、本発明に係る折り畳み式オットマン装置は折り畳んで収納することができることから、収納空間を節約できるので、実用性に優れる。
【図面の簡単な説明】
【００１５】
【図１】本発明に係る折り畳み式オットマン装置を折り畳んだ状態を示す斜視図である。
【図２】本発明に係る折り畳み式オットマン装置を展開した状態を示す斜視図である。
【図３】本発明に係る折り畳み式オットマン装置を展開した状態を示す底面視斜視図である。
【図４】本発明に係る折り畳み式オットマン装置における第一駆動装置の部分分解斜視図である。
【図５】本発明に係る折り畳み式オットマン装置における第二駆動装置の部分分解斜視図である。
【図６】本発明に係る折り畳み式オットマン装置における第三駆動装置の部分拡大平面図である。
【図７】本発明に係る折り畳み式オットマン装置における第三駆動装置の部分拡大斜視図である。
【図８】本発明に係る折り畳み式オットマン装置における第三駆動装置の他の部分拡大斜視図である。
【図９】本発明に係る折り畳み式オットマン装置を取り付けた状態を示す斜視図である。
【図１０】本発明に係る折り畳み式オットマン装置の操作状態を示す側視平面図である。
【図１１】本発明に係る折り畳み式オットマン装置の操作状態を示す側視平面図である。
【図１２】本発明に係る折り畳み式オットマン装置の操作状態を示す側視平面図である。
【図１３】本発明に係る折り畳み式オットマン装置の操作状態を示す側視平面図である。
【図１４】本発明に係る折り畳み式オットマン装置の操作状態を示す側視平面図である。
【図１５】本発明に係る折り畳み式オットマン装置の操作状態を示す側視平面図である。
【図１６】本発明に係る折り畳み式オットマン装置の操作状態を示す側視平面図である。
【図１７】本発明に係る折り畳み式オットマン装置における第三駆動装置のクラッチ部材を示す前面視平面図である。
【図１８】本発明に係る折り畳み式オットマン装置における第三駆動装置のクラッチ部材を示す後面視平面図である。
【発明を実施するための形態】
【００１６】
以下、添付図面を参照して本発明の適切な実施の形態を詳細に説明する。
図１乃至図３に示すように、本発明に係る折り畳み式オットマン装置は、シート１０と、第一回転ケース２０と、第二回転ケース３０と、足置き台４０と、第一駆動装置５０と、第二駆動装置６０と、第三駆動装置７０とを有する。
【００１７】
前記シート１０は、２本のプレート１１と、支持棒１２と、連結棒１３とを備え、そのうちプレート１１は、長細状を呈し、間隔をおいて平行となるように配置され、該支持棒１２の両端が２本のプレート１１の前段部の間に取り付けられ、該連結棒１３の両端が２本のプレート１１の後段部の間に取り付けられる。尚、このシート１０の構造は、周知の技術であるので、詳細な説明は省略する。前記第一回転ケース２０は、中空のフレームであり、後端両側が第一駆動装置５０を介してシート１０の前端両側に枢設され、前記第二回転ケース３０は、中空のフレームであり、後端両側が第二駆動装置６０を介して第一回転ケース２０の前端両側に枢設され、前端の両側近傍にそれぞれ切欠き口３１が形成される。
【００１８】
前記足置き台４０は、その底部の一側近傍に第一枢設部４１が延設され、底部の他側近傍に第二枢設部４２が延設され、該第一枢設部４１の一側に環状歯４１１が形成され、この第一枢設部４１及び第二枢設部４２は、第二回転ケース３０の切欠き口３１に位置しながら、第三駆動装置７０を介して第二回転ケース３０に枢設される。
【００１９】
図２及び図４に示すように、前記第一駆動装置５０は、シート１０と第一回転ケース２０との間に設置され、２つの角度調整器５１と、２つの第一段階直流機５２と、連動軸５３とを備える。
【００２０】
前記角度調整器５１はそれぞれ、シート１０の前端両側と第一回転ケース２０の後端両側との間に取り付けられ、カバー５１１と、角度調整盤５１２と、枢転ユニット５１３とを有し、その内、該カバー５１１は、連結板５１１１及び装着盤５１１２を備え、該連結板５１１１は、シート１０のプレート１１の前端内面に取り付けられ、該装着盤５１１２の外周縁に、内側に向かって第一段階展開ストッパー５１１３及び第一段階折畳みストッパー５１１３Ａが間隔をおいて延設される。
前記角度調整盤５１２は、カバー５１１の装着盤５１１２の内側に取り付けられ、該枢転ユニット５１３は、連結盤５１３１と、湾曲アーム５１３２と、取付板５１３３とを有し、該湾曲アーム５１３２の一端が連結盤５１３１の外縁部に連接され、他端が取付板５１３３の底面に連接され、該連結盤５１３１と接着した箇所の両側付近に第一段階展開止め面５１３４及び第一段階折畳み止め面５１３４Ａが設けられ、該枢転ユニット５１３は、連結盤５１３１を介して角度調整盤５１２の内面に取り付けられ、該取付板５１３３を介して第一回転ケース２０の後端底面に取り付けられる。
【００２１】
前記第一段階直流機５２はそれぞれ、シート１０の前端両側及び角度調整器５１の内側に取り付けられると共に、角度調整器５１の連結板５１１１の内側面に固定され、前記連動軸５３は、２つの角度調整器５１の間に取り付けられる。
第一駆動装置５０を使用する時は、第一段階直流機５２を駆動して連動軸５３を回転させ、それに連動させて角度調整器５１の角度調整盤５１２及び枢転ユニット５１３を回転させる。また、前記枢転ユニット５１３の湾曲アーム５１３２は、第一段階展開止め面５１３４をカバー５１１の装着盤５１１２の第一段階展開ストッパー５１１３に或いは、第一段階折畳み止め面５１３４Ａをカバー５１１の装着盤５１１２の第一段階折畳みストッパー５１１３Ａに当接することができる。
尚、上述した角度調整盤５１２の構成または操作方法は、既存の背もたれ用の傾斜角度を調整可能な調整器具と同一であり、周知の技術であるので、ここでの詳細の説明を省略する。
【００２２】
図３及び図５に示すように、前記第二駆動装置６０は、第一回転ケース２０と第二回転ケース３０との間に設置され、２つの第二段階直流機６１と、２つのギア部材６２と、第二段階展開スイッチ６３と、第二段階折畳みスイッチ６３Ａとを有する。
【００２３】
前記２つの第二段階直流機６１は、第一回転ケース２０の中段両側の底面に取り付けられると共に、可撓軸６１１を介して互いに連動する。
前記２つのギア部材６２は、第一回転ケース２０の前端両側と第二回転ケース３０の後端両側との間、かつ第二段階直流機６１の近傍に取り付けられ、その第二段階直流機６１を駆動させると、ギア部材６２のウォーム６２２が回転する。
【００２４】
前記ギア部材６２は、ケース６２１と、ウォーム６２２と、ウォーム歯車６２３と、第一歯車６２４と、第二歯車６２５と、第三歯車６２６と、回転軸６２７と、連結部材６２８とを有し、その内、ケース６２１は、第一回転ケース２０の底面に固定され、該ウォーム６２２、該ウォーム歯車６２３、該第一歯車６２４、該第二歯車６２５は、回動可能にケース６２１の内部に組み立てられ、該第三歯車６２６、該回転軸６２７、該連結部材６２８は、回動可能にケース６２１の外部に組み立てられる。また、前記ウォーム歯車６２３はウォーム６２２に噛合され、該第一歯車６２４は、同一の軸心となるようにウォーム歯車６２３の一側に噛合され、該第二歯車６２５は第一歯車６２４に噛合され、該第三歯車６２６は第二歯車６２５に噛合され、該回転軸６２７は第三歯車６２６の軸心として貫設され、連結部材６２８は回転軸６２７に取り付けられる。
さらに、前記連結部材６２８に連結タブ６２８１が設けられ、該連結タブ６２８１は第二回転ケース３０の後端側面に取り付けられる。また、前記回転軸６２７の内端は、第三歯車６２６の内側面から突出すると共に、一方の回転軸６２７の内端に第二段階展開当接部６２９が環設されると共に、他方の回転軸６２７の内端に第二段階折畳み当接部６２９Ａが環設され、該第二段階展開当接部６２９の外周面に当接凸部６２９１が凸設され、該第二段階折畳み当接部６２９Ａに当接凸部６２９１Ａが凸設される。
【００２５】
前記第二段階展開スイッチ６３及び第二段階折畳みスイッチ６３Ａは、第一回転ケース２０の底面の前端両側に設置され、また、該第二段階展開スイッチ６３は第二段階展開当接部６２９の近傍に配置され、該第二段階展開当接部６２９の当接凸部６２９１が第二段階展開スイッチ６３に接触すると、第二段階展開スイッチ６３が駆動する。一方、前記第二段階折畳みスイッチ６３Ａは、第二段階折畳み当接部６２９Ａの近傍に配置され、第二段階折畳み当接部６２９Ａの当接凸部６２９１Ａが第二段階折畳みスイッチ６３Ａに接触すると、第二段階折畳みスイッチ６３Ａが駆動する。
【００２６】
図６乃至図８に示すように、前記第三駆動装置７０は、第二回転ケース３０と足置き台４０との間に設置され、クラッチ部材７１と、伝動部材７２と、第三段階折畳みスイッチ７３とを有する。
【００２７】
前記クラッチ部材７１は、第二回転ケース３０の一側に取り付けられ、第三段階クラッチ直流機７１１と、クラッチベース７１２と、クラッチ駆動ユニット７１３と、クラッチ従動ユニット７１４と、歯付き盤７１５と、止めタブ７１６と、位置決めタブ７１７とを有し、その内、該第三段階クラッチ直流機７１１は、第二回転ケース３０の底面後端に取り付けられ、該クラッチベース７１２は、第二回転ケース３０の底面前端に取り付けられ、該クラッチベース７１２に、互いに直立する第一装着部７１２１及び第二装着部７１２２が設置され、該クラッチ駆動ユニット７１３は、伝動軸７１３１を備え、該伝動軸７１３１の一端にかさ歯車７１３２が環設され、該伝動軸７１３１はクラッチベース７１２の第一装着部７１２１に貫設され、該伝動軸７１３１の一端は、第一装着部７１２１から第三段階クラッチ直流機７１１の近傍に突出する構造であり、該第三段階クラッチ直流機７１１が駆動すると、伝動軸７１３１の回転に連動し、かさ歯車７１３２も回転する。
【００２８】
前記クラッチ従動ユニット７１４は、従動軸７１４１及び該従動軸７１４１の一端に取り付けられたかさ歯車７１４２を備え、該従動軸７１４１は、クラッチベース７１２の第二装着部７１２２に貫設され、該従動軸７１４１は、外周面にねじ山が形成され、その一端は第二装着部７１２２から突出する。。
前記クラッチ従動ユニット７１４のかさ歯車７１４２は、クラッチ駆動ユニット７１３のかさ歯車７１３２に噛合され、該歯付き盤７１５にねじ穴７１５１が形成され、前記従動軸７１４１のねじ山は歯付き盤７１５のねじ穴７１５１に螺合される。また、前記歯付き盤７１５における、第二装着部７１２２と反対する側に環歯部７１５２が設けられ、その外周面に当接凸部７１５３が凸設され、前記止めタブ７１６は、歯付き盤７１５の外周面の近傍及び第二回転ケース３０の底面に取り付けられ、該歯付き盤７１５の当接凸部７１５３が止めタブ７１６に当接すると、歯付き盤７１５が従動軸７１４１と同期回転することなく、従動軸７１４１に対してその軸方向に沿ってリニア移動する。
【００２９】
前記位置決めタブ７１７は、歯付き盤７１５の環歯部７１５２の近傍及び第二回転ケース３０の底面に取り付けられ、該歯付き盤７１５における、ねじ穴７１５１と対向する側に回転可能な枢転軸７１７１が延設され、該枢転軸７１７１に前記足置き台４０の第一枢設部４１が固定され、該第一枢設部４１の環状歯４１１が歯付き盤７１５の環歯部７１５２に噛合される。
【００３０】
前記伝動部材７２は、第二回転ケース３０の他側に取り付けられ、第三段階伝動用直流機７２１と、伝動ベース７２２と、伝動用駆動ユニット７２３と、伝動用従動ユニット７２４と、位置決めタブ７２５とを有し、その内、第三段階伝動用直流機７２１は、該第二回転ケース３０の底面後端に取り付けられると共に、該伝動ベース７２２は、第二回転ケース３０の底面前端に取り付けられ、該伝動ベース７２２に互いに直立する第一装着部７２２１及び第二装着部７２２２が設置され、該伝動用駆動ユニット７２３は、伝動軸７２３１及び該伝動軸７２３１の一端に設けられる駆動かさ歯車７２３２を備え、該伝動軸７２３１は伝動ベース７２２の第一装着部７２２１に貫設され、その一端は、第一装着部７２２１から第三段階伝動用直流機７２１の近傍に突出する構造であり、その第三段階伝動用直流機７２１を駆動させると、伝動軸７２３１の回転に連動して駆動かさ歯車７２３２が回転する。
【００３１】
前記伝動用従動ユニット７２４は、従動軸７２４１及び該従動軸７２４１の一端に取り付けられる従動かさ歯車７２４２を備え、該従動軸７２４１は、伝動ベース７２２の第二装着部７２２２に貫設され、その一端は第二装着部７２２２に貫設される構成であり、従動かさ歯車７２４２は、駆動することにより、伝動用駆動ユニット７２３の駆動かさ歯車７２３２に噛合される。また、前記位置決めタブ７２５は、伝動用従動ユニット７２４の従動軸７２４１の近傍且つ第二回転ケース３０の底面に取り付けられると共に、該従動軸７２４１の他端は位置決めタブ７２５に挿し込まれ、前記足置き台４０の第二枢設部４２は、従動軸７２４１における伝動ベース７２２と位置決めタブ７２５との間に固定される。
【００３２】
前記第三段階折畳みスイッチ７３は、第二回転ケース３０の底面後端に設置され、前記足置き台４０は、第二回転ケース３０の底面に対して回転することにより、第三段階折畳みスイッチ７３と接触する（図１３の如く）。
【００３３】
図９に示すように、本発明を組み立てる時は、シート１０を椅子台８０に設置し、シート１０の後端に背もたれ９０を枢設する。一方、図１０が本発明を折り畳む状態を示し、本発明を展開して使用する時には、図４及び図１１に示すように、第一段階直流機５２を駆動させて連動軸５３を回転させ、角度調整器５１の角度調整盤５１２及び枢転ユニット５１３を順に回転させることにより、枢転ユニット５１３の取付板５１３３に固定される第一回転ケース２０をシート１０に対して前方へ回転させる。
【００３４】
また、前記第一回転ケース２０がシート１０に対して前方へ９０度回転すると、枢転ユニット５１３の湾曲アーム５１３２の第一段階展開止め面５１３４が角度調整器５１のカバー５１１の装着盤５１１２の第一段階展開ストッパー５１１３に当接することから、第一段階直流機５２は第一回転ケース２０を駆動し続けることができなくなり、この時、第一段階直流機５２の負荷電流が増加し、コントローラにより第一段階直流機５２の電流量を計測し、設定した電流量に達すると、第一段階直流機５２を停止させる。この方法によれば、第一回転ケース２０が前方へ９０度に回転すると、自動的に停止すると共に水平状態となる。
【００３５】
図５及び図１２に示すように、第二段階直流機６１が駆動すると、ウォーム６２２が回転し、それに伴ないウォーム歯車６２３、第一歯車６２４、第二歯車６２５、第三歯車６２６、回転軸６２７、連結部材６２８、第二段階展開当接部６２９、第二段階折畳み当接部６２９Ａが順に回動することから、連結部材６２８の連結タブ６２８１に固定した第二回転ケース３０は第一回転ケース２０に対して前方へ回転することができる。
【００３６】
図１３に示すように、第二回転ケース３０が第一回転ケース２０に対して前方へ１８０度回転すると、第二段階展開当接部６２９の当接凸部６２９１が第二段階展開スイッチ６３に当接するが、第二段階折畳み当接部６２９Ａの当接凸部６２９１Ａは第二段階折畳みスイッチ６３Ａに当接しないので、第二回転ケース３０は前方へ１８０度まで回転して水平状態となる。
【００３７】
図７に示すように、第三段階クラッチ直流機７１１が駆動してクラッチ駆動ユニット７１３が回転すると、クラッチ従動ユニット７１４及び歯付き盤７１５が回転する。また、図１７に示すように、歯付き盤７１５の当接凸部７１５３が止めタブ７１６に当接すると、歯付き盤７１５がクラッチ従動ユニット７１４と連動し続けることができなくなると共に、歯付き盤７１５がクラッチ従動ユニット７１４の従動軸７１４１に対して軸方向に沿ってリニア移動しながら、足置き台４０の第一枢設部４１から離れるので、歯付き盤７１５の環歯部７１５２が第一枢設部４１の環状歯４１１から離脱することができる。
【００３８】
図８及び図１４に示すように、第三段階伝動用直流機７２１が駆動して伝動用駆動ユニット７２３が回転すると、それに伴ない伝動用従動ユニット７２４が回転し、それにより、伝動用従動ユニット７２４の従動軸７２４１に固定した足置き台４０が第二回転ケース３０の上面に対して回転する。
図２及び図１５に示すように、足置き台４０が第二回転ケース３０に対して２６０度回転する時、即ち、足置き台４０が水平の状態に対して８０度となった時、足置き台４０の第一枢設部４１及び第二枢設部４２が第二回転ケース３０の切欠き口３１の後端の壁に当接することから、第三段階伝動用直流機７２１が足置き台４０を駆動し続けることができなくなる。この時、第三段階伝動用直流機７２１の負荷電流が増加することから、コントローラにより第三段階伝動用直流機７２１の電流量を測定し、設定した電流量に達すると、第三段階伝動用直流機７２１を停止させる。この方法によれば、足置き台４０が回転して水平の状態に対して８０度となったとき、自動的に停止する。
【００３９】
図１８に示すように、第三段階伝動用直流機７２１が停止すると、再び第三段階クラッチ直流機７１１が駆動し、歯付き盤７１５が足置き台４０の第一枢設部４１と接近すると共に、歯付き盤７１５の環歯部７１５２が第一枢設部４１の環状歯４１１に噛合することから、足置き台４０と第二回転ケース３０とを位置決めることができる。
【００４０】
このように、本発明の折畳み可能な構造を用いれば、オットマンの長さを更に伸ばすことができ使い心地がよくなり、また、必要に応じて足置き台４０の傾斜角度を自由に調整することができる。
【００４１】
図１６に示すように、足置き台４０を第二回転ケース３０に対して１８０度回転させて水平にすると、オットマンの長さをさらに伸ばすことができるので、高身長であっても使用することができ、更に
、本発明における第一駆動装置５０及び第二駆動装置６０は、第一段階直流機５２及び第二段階直流機６１を備えることから、第二回転ケース３０及び足置き台４０の回転力も向上している。
【００４２】
本発明に係るオットマンを折り畳んで収納する時には、図３に示すように、第三段階クラッチ直流機７１１を駆動させて、歯付き盤７１５の環歯部７１５２を足置き台４０の第一枢設部４１の環状歯４１１から離脱させ、第三段階伝動用直流機７２１を駆動して、足置き台４０を第二回転ケース３０の底面へ回転させる。その後、足置き台４０を第二回転ケース３０の底面に合わせて第三段階折畳みスイッチ７３と接触させると、足置き台４０の収納が完了する。また、第三段階クラッチ直流機７１１を再び駆動させて、歯付き盤７１５の環歯部７１５２を足置き台４０の第一枢設部４１に噛合させると、足置き台４０が第二回転ケース３０の底面に折畳む状態を維持する。第二段階直流機６１を駆動させて、第二回転ケース３０を第一回転ケース２０に対して後方へ回転し、第一回転ケース２０の底面に折畳むことができる。更に、図５に示すように、第二段階展開当接部６２９の当接凸部６２９１が第二段階展開スイッチ６３から離れて、第二段階折畳み当接部６２９Ａの当接凸部６２９１Ａが第二段階折畳みスイッチ６３Ａに当接する場合に、第二回転ケース３０を折り畳むことが完成である。
【００４３】
そして、前記第一段階直流機５２を駆動させて、第一回転ケース２０をシート１０に対して後方へ回転させると、図１０に示すように、角度調整器５１の枢転ユニット５１３の湾曲アーム５１３２の第一段階折畳み止め面５１３４Ａが角度調整器５１のカバー５１１の装着盤５１１２の第一段階折畳みストッパー５１１３Ａに当接し、第一回転ケース２０を収納することができる。この方法によれば、第一回転ケース２０、第二回転ケース３０、足置き台４０を、シート１０と垂直となるように折り畳んで収納することができるので、スペースを節約できる。
【符号の説明】
【００４４】
１０        シート
２０        第一回転ケース
３０        第二回転ケース
４０        足置き台
４１        第一枢設部
４１１      環状歯
４２        第二枢設部
５０        第一駆動装置
５１        角度調整器
５１１      カバー
５１１１    連結板
５１１２    装着盤
５１２      角度調整盤
５１１３    第一段階展開ストッパー
５１１３Ａ  第一段階折畳みストッパー
５１３      枢転ユニット
５１３１    連結盤
５１３２    湾曲アーム
５１３３    取付板
５１３４    第一段階展開止め
５１３４Ａ  第一段階折畳み止め面
５２        第一段階直流機
５３        連動軸
６０        第二駆動装置
６１        第二段階直流機
６１１      可撓軸
６２        ギア部材
６２１      ケース
６２２      ウォーム
６２３      ウォーム歯車
６２４      第一歯車
６２５      第二歯車
６２６      第三歯車
６２７      回転軸
６２８      連結部材
６２８１    連結タブ
６２９      第二段階展開当接部
６２９Ａ    第二段階折畳み当接部
６２９１、６２９１Ａ      当接凸部
６３        第二段階展開スイッチ
６３Ａ      第二段階折畳みスイッチ
７０        第三駆動装置
７１        クラッチ部材
７１１      第三段階クラッチ直流機
７１２      クラッチベース
７１２１    第一装着部
７１２２    第二装着部
７１３      クラッチ駆動ユニット
７１３１    伝動軸
７１３２    かさ歯車
７１４      クラッチ従動ユニット
７１４１    従動軸
７１４２    かさ歯車
７１５      歯付き盤
７１５１    ねじ穴
７１５２    環歯部
７１５３    当接凸部
７１６      止めタブ
７２        伝動部材
７２１      第三段階伝動用直流機
７２２      伝動ベース
７７２２１  第一装着部
７２２２    第二装着部
７２３      伝動用駆動ユニット
７２３１    伝動軸
７２３２    駆動かさ歯車
７２４      伝動用従動ユニット
７２４１    従動軸
７２４２    従動かさ歯車
７３        第三段階折畳みスイッチ
【図１】
2015020739.tif 000003
【図２】
2015020739.tif 000004
【図３】
2015020739.tif 000005
【図４】
2015020739.tif 000006
【図５】
2015020739.tif 000007
【図６】
2015020739.tif 000008
【図７】
2015020739.tif 000009
【図８】
2015020739.tif 000010
【図９】
2015020739.tif 000011
【図１０】
2015020739.tif 000012
【図１１】
2015020739.tif 000013
【図１２】
2015020739.tif 000014
【図１３】
2015020739.tif 000015
【図１４】
2015020739.tif 000016
【図１５】
2015020739.tif 000017
【図１６】
2015020739.tif 000018
【図１７】
2015020739.tif 000019
【図１８】
2015020739.tif 000020